【手続補正書】
【提出日】平成18年3月14日(2006.3.14)
【手続補正１】
【補正対象書類名】明細書
【補正対象項目名】特許請求の範囲
【補正方法】変更
【補正の内容】
【特許請求の範囲】
【請求項１】  回転式アテレクトミー（ａｔｈｅｒｅｃｔｏｍｙ）装置において、この装置が、
ハンドルハウジングと、
ハンドルハウジング内部に配設してあって、ハンドルハウジングに関して長手方向に移動できる原動機台（キャリッジ）によって運ばれる回転可能な原動機と、
ハンドルハウジングに対して着脱できるカートリッジハウジング、
カートリッジハウジング内部に配設していて、原動機台とともに長手方向に移動できるように該台に対して着脱できる近位端部を有する長手方向に移動可能なチューブ（管）、および
長手方向に移動可能なチューブの内部に配設された近位部分と組織除去器具を具備する遠位部分を有する回転可能な可撓性駆動軸
を具備する交換可能な駆動軸カートリッジと、
駆動軸の近位部分を原動機に取外しできるように装着する駆動軸装着機構と、
カートリッジハウジングをハンドルハウジングに対して取外しできるようにロック（固定）するカートリッジラッチと、更に
カートリッジハウジングに関して、カートリッジラッチがロックされている中立位置から、スライドがカートリッジラッチをロックしないカートリッジロック解除位置まで長手方向に移動でき、それによりカートリッジハウジングをハンドルハウジングから取外し可能にするスライドと、
を具備する回転式アテレクトミー装置。
【請求項２】  スライドが一般的に管状形状である請求項１に記載の回転式アテレクトミー装置。
【請求項３】  管状のスライドがカートリッジハウジングの周囲に配設される請求項２に記載の回転式アテレクトミー装置。
【請求項４】  ハンドルハウジングが１対の開口部を具備し、該開口部が、これを通してスライドを掴み、カートリッジハウジングとハンドルハウジングの両方に関して長手方向に移動させることができるようにサイズ決め、位置決めされる請求項１に記載の回転式アテレクトミー装置。
【請求項５】  カートリッジラッチが少なくとも１つの半径方向に弾性的な指を具備しており、この指が、カートリッジハウジングによって支えられていて、ハンドルハウジングによって支えられた補完構造と取外しできるように係合できる請求項１に記載の回転式アテレクトミー装置。
【請求項６】  長手方向に移動可能なチューブをカートリッジハウジングに関して長手方向に移動しないように選択的にロックするためのチューブ（管）ラッチを更に具備する請求項１に記載の回転式アテレクトミー装置。
【請求項７】  チューブラッチが、スライドをカートリッジハウジングに関して長手方向に移動しないように選択的にロックできる請求項６に記載の回転式アテレクトミー装置。
【請求項８】  カートリッジハウジングによって支えられていて、少なくとも２つの位置、すなわち、チューブロッキングエレメントが半径方向内向きに移動し、それによりカートリッジハウジングに関するチューブの長手方向の移動を制限するチューブロック位置と、チューブロッキングエレメントが半径方向外向きに移動し、それによりカートリッジハウジングに関するチューブの長手方向の移動を可能にするチューブロック解除位置の間で半径方向に移動できる少なくとも１つのチューブロッキングエレメントを更に具備する請求項１に記載の回転式アテレクトミー装置。
【請求項９】  回転式アテレクトミー装置において、該装置が、
ハンドルハウジングと、
ハンドルハウジング内部に配設してあって、ハンドルハウジングに関して長手方向に移動できる原動機台によって運ばれる回転可能な原動機と、
ハンドルハウジングに対して着脱できるカートリッジハウジング、
カートリッジハウジング内部に配設してあって、原動機台とともに長手方向に移動できるように該台に対して着脱できる近位端部を有する長手方向に移動可能なチューブ、
長手方向に移動可能なチューブをカートリッジハウジングに関して長手方向に移動しないように選択的にロックするチューブラッチ、および
長手方向に移動可能なチューブの内部に配設された近位部分と、組織除去器具を包含する遠位部分を有する回転可能な可撓性駆動軸
を包含する交換可能な駆動軸カートリッジと、更に
駆動軸の近位部分を原動機に取外しできるように装着する駆動軸装着機構と、
を具備する回転式アテレクトミー装置。
【請求項１０】  スライドが長手方向に移動可能なチューブをチューブラッチにロックさせる中立位置から、スライドが該チューブのロックをチューブラッチに解除させる作動位置まで、カートリッジハウジングに関して長手方向に移動できるスライドを更に具備しており、それによって、該チューブがカートリッジハウジングに関して長手方向に移動可能にする請求項９に記載の回転式アテレクトミー装置。
【請求項１１】  チューブラッチが、スライドをカートリッジハウジングに関して長手方向に移動しないように選択的にロックできる請求項１０に記載の回転式アテレクトミー装置。
【請求項１２】  チューブが長手方向に移動しないようにロックされる時は常にスライドが長手方向に移動でき、スライドが長手方向に移動しないようにロックされる時は常にチューブが長手方向に移動できるようにチューブラッチが構成され、配置される請求項１１に記載の回転式アテレクトミー装置。
【請求項１３】  チューブラッチがチューブロッキングエレメントを具備しており、このチューブロッキングエレメントが、少なくとも２つの位置、すなわち、チューブロッキングエレメントが半径方向内向きに移動し、それでカートリッジハウジングに関するチューブの長手方向の移動を制限するチューブロック位置と、チューブロッキングエレメントが半径方向外向きに移動し、それでカートリッジハウジングに関するチューブの長手方向の移動を許すチューブロック解除位置の間で半径方向に移動できる請求項１２に記載の回転式アテレクトミー装置。
【請求項１４】  チューブラッチが、互いに周方向に間隔をあけた３つ以上のチューブロッキングエレメントを具備する請求項１３に記載の回転式アテレクトミー装置。
【請求項１５】  チューブロッキングエレメントがカートリッジハウジングの壁にある半径方向の穴の中に配置される請求項１３に記載の回転式アテレクトミー装置。
【請求項１６】  チューブロッキングエレメントが半径方向に移動できるロックボールを具備する請求項１３に記載の回転式アテレクトミー装置。
【請求項１７】  カートリッジハウジングをハンドルハウジングに対して取外しできるようにロックするカートリッジラッチを更に具備する請求項９に記載の回転式アテレクトミー装置。
【請求項１８】  駆動軸カートリッジが、少なくとも３つの位置、すなわち、長手方向に移動可能なチューブのロックをチューブラッチに解除させる作動位置と、スライドが該チューブをカートリッジハウジングに関して長手方向に移動しないようにチューブラッチにロックさせる中立位置と、スライドが長手方向に移動可能なチューブをそのロック位置にチューブラッチに保持させ、カートリッジラッチのロックを解除するカートリッジロック解除位置の間でカートリッジハウジングに関して長手方向に移動でき、それでカートリッジハウジングをハンドルハウジングから取外しできるようにするスライドを具備する請求項１７に記載の回転式アテレクトミー装置。
【請求項１９】  カートリッジラッチが少なくとも１つの半径方向に弾性的な指からなり、この指が、カートリッジハウジングによって支えられていて、ハンドルハウジングによって支えられた補完構造と取外しできるように係合できる請求項１８に記載の回転式アテレクトミー装置。
【請求項２０】  スライドのキャッチ係合エレメントを係合するように位置決めされたキャッチを更に具備しており、キャッチがスライドの中立位置と作動位置の間の自由な移動を制限する請求項１８に記載の回転式アテレクトミー装置。
【請求項２１】  カートリッジラッチが少なくとも1 つの半径方向に弾性的な指を具備しており、この指が、カートリッジハウジングによって支えられていて、ハンドルハウジングによって支えられた補完構造と取外しできるように係合できる請求項２０に記載の回転式アテレクトミー装置。
【請求項２２】  ハンドルハウジングが1 対の開口部を具備し、この開口部が、カートリッジハウジングをハンドルハウジングに装着した時に該開口部を通してスライドをユーザーが手で掴めるようにサイズ決め、位置決される請求項１８に記載の回転式アテレクトミー装置。
【請求項２３】  開口部が、カートリッジハウジングをハンドルハウジングに装着した時にスライドをその中立位置とその作動位置の間で手動で移動できるのに十分な長さである請求項２２に記載の回転式アテレクトミー装置。
【請求項２４】  開口部が、ユーザーにより１回だけの移動によってスライドをその作動位置から、カートリッジハウジングが少なくとも部分的にハンドルハウジングから外へ移動する位置まで移動させるのに十分な長さであり、１回だけの移動が、スライドをその作動位置からカートリッジロック解除位置まで移動させる第１の段階と、スライドをカートリッジハウジングとともにハンドルハウジングに関して遠位方向へ移動させる第２の段階を具備する請求項２２に記載の回転式アテレクトミー装置。
【請求項２５】  回転式アテレクトミー装置において、該装置が
ハンドルハウジングと、
ハンドルハウジング内部に配設してあって、ハンドルハウジングに関して長手方向に移動できる原動機台によって運ばれる回転式原動機と、
ハンドルハウジングに対して着脱できるカートリッジハウジング、
カートリッジハウジング内部に配設してあって、原動機台とともに長手方向に移動できるように該キャリッジに対して着脱できる近位端部を有する長手方向に移動可能なチューブ、
長手方向に移動可能なチューブをカートリッジハウジングに関して長手方向に移動しないように選択的にロックするチューブラッチ、および
長手方向に移動可能なチューブの内部に配設された近位部分と、組織除去器具を包含する遠位部分を有する回転可能な可撓性駆動軸
を包含する交換可能な駆動軸カートリッジと、
駆動軸の近位部分を原動機に取外しできるように装着する駆動軸装着機構と、
カートリッジハウジングをハンドルハウジングに対して取外しできるようにロックするカートリッジラッチと、更に
少なくとも３つの位置、すなわち、スライドが長手方向に移動可能なチューブのロックをチューブラッチに解除させる作動位置と、スライドが該チューブをカートリッジハウジングに関して長手方向に移動しないようにチューブラッチにロックさせる中立位置と、スライドが長手方向に移動可能なチューブをそのロック位置にチューブラッチに保持させ、カートリッジラッチのロックを解除するカートリッジロック解除位置の間でカートリッジハウジングに関して長手方向に移動でき、それでカートリッジハウジングをハンドルハウジングから取外しできるようにするスライドと、
を具備する回転式アテレクトミー装置。
【請求項２６】  カートリッジラッチが少なくとも1 つの半径方向に弾性的な指を具備しており、この指が、カートリッジハウジングによって支えられていて、ハンドルハウジングによって支えられた補完構造と取外しできるように係合できる請求項２５に記載の回転式アテレクトミー装置。
【請求項２７】  半径方向に弾性的な指が、遠位置で半径方向外向きに傾斜した外面を持つ部分を有し、スライドが、スライドが半径方向に弾性的な指に関して遠位方向に移動する時にスライドの受け面が該指の傾斜した外面と係合して指が半径方向内向きに移動させられるように位置決めされた受け面を有し、それによって指がハンドルハウジングの補完構造からはずされ、カートリッジハウジングがハンドルハウジングから取外しできる請求項２６に記載の回転式アテレクトミー装置。
【請求項２８】  カートリッジラッチが、カートリッジハウジングによって支えられた２つ以上の半径方向に弾性的な指を具備する請求項２７に記載の回転式アテレクトミー装置。
【請求項２９】  半径方向に弾性的な指が、スライドのキャッチ係合エレメントを係合させるように位置決めされたキャッチを支え、このキャッチがスライドの中立位置と作動位置の間の自由な移動を制限する請求項２６に記載の回転式アテレクトミー装置。
【請求項３０】  キャッチおよびキャッチ係合エレメントの少なくとも一方が、遠位方向で半径方向外向きに傾斜した係合面を有するので、スライドがその作動位置から遠位方向へ移動すると、強制的にキャッチが、半径方向に弾性的な指とともに、スライドのキャッチ係合エレメントをキャッチから解放するのに十分な距離で半径方向内向きに移動させられ、それによって、スライドがその作動位置から中立位置へ、さらに中立位置を越えて遠位方向へ手動で移動できる請求項２９に記載の回転式アテレクトミー装置。
【請求項３１】  さらに、スライドをその作動位置の方へ片寄らせるばねを更に具備しており、キャッチおよびキャッチ係合エレメントが、カートリッジハウジングの長手方向の軸に対して一般的に垂直であってスライドのその中立位置から作動位置への近位方向の移動を制限する補完係合面を有する請求項２９に記載の回転式アテレクトミー装置。
【請求項３２】  半径方向に弾性的な指が半径方向内向きに撓む時に、補完係合面が係合しなくなり、それにより、ばねがスライドをその中立位置から作動位置へ移動されるように該補完係合面がサイズ決め、位置決めされる請求項３１に記載の回転式アテレクトミー装置。
【請求項３３】  スライドをその作動位置の方へ片寄らせるばねを更に具備しており、カートリッジハウジングをハンドルハウジングに挿入すると、半径方向に弾性的な指が、キャッチととともに、スライドのキャッチ係合エレメントをキャッチから解放するのに十分な距離で半径方向内向きに移動させられ、それにより、ばねがスライドをその中立位置から作動位置へ移動させるように該キャッチおよびキャッチ係合エレメントがサイズ決め、位置決めされる請求項２９に記載の回転式アテレクトミー装置。
【請求項３４】  スライドを片寄らせるばねが、カートリッジハウジングの周囲に配置されたコイルばねを具備する請求項３３に記載の回転式アテレクトミー装置。
【請求項３５】  ハンドルハウジングが１対の開口部を具備し、この開口部が、カートリッジハウジングをハンドルハウジングに装着した時に該開口部を通してスライドをユーザーが手で掴めるようにサイズ決め、位置決めされる請求項２５に記載の回転式アテレクトミー装置。
【請求項３６】  装置において、この装置が
ハンドルハウジングと、
ハンドルハウジング内部に配設してあって、ハンドルハウジングに関して長手方向に移動できる台（キャリッジ）と、
ハンドルハウジングに対して着脱できるカートリッジハウジング、
カートリッジハウジング内部に配設してあって、台とともに長手方向に移動できるように該台に対して着脱できる近位端部を有する長手方向に移動可能なチューブ、
長手方向に移動可能なチューブをカートリッジハウジングに関して長手方向に移動しないように選択的にロックするチューブラッチ
を包含する交換可能なカートリッジと、
カートリッジハウジングをハンドルハウジングに対して取外しできるようにロックするカートリッジラッチと、更に
少なくとも３つの位置、すなわち、スライドが長手方向に移動可能なチューブのロックをチューブラッチに解除させる作動位置と、スライドにより該チューブをカートリッジハウジングに関して長手方向に移動しないようにチューブラッチにロックさせる中立位置と、スライドが長手方向に移動可能なチューブをそのロック位置にチューブラッチに保持させ、カートリッジラッチのロックを解除するカートリッジロック解除位置の間でカートリッジハウジングに関して長手方向に移動でき、それでカートリッジハウジングをハンドルハウジングから取外しできるようにするスライドと、
を具備する装置。
【請求項３７】  スライドが一般的に管状形状である請求項３６に記載の装置。
【請求項３８】  スライドがカートリッジハウジングの周囲に配設される請求項３７に記載の装置。
【請求項３９】  ハンドルハウジングが１対の開口部を具備し、この開口部が、カートリッジハウジングをハンドルハウジングに装着した時に該開口部を通してスライドをユーザーが手で掴めるようにサイズ決め、位置決めされる請求項３６に記載の装置。
【請求項４０】  開口部が、１回だけの移動によってスライドをその作動位置から、カートリッジハウジングが少なくとも部分的にハンドルハウジングから外へ移動する位置まで移動させるのに十分な長さであり、１回だけの移動が、スライドをその作動位置からカートリッジロック解除位置まで移動させる第１の段階と、スライドをカートリッジハウジングとともにハンドルハウジングに関して遠位方向へ移動させる第２の段階を具備する請求項３９に記載の装置。
【請求項４１】  チューブラッチが、スライドをカートリッジハウジングに関して長手方向に移動しないように選択的にロックできる請求項３６に記載の装置。
【請求項４２】  チューブが長手方向に移動しないようにロックされる時は常に、スライドが長手方向に移動でき、スライドが長手方向に移動しないようにロックされる時は常に、チューブが長手方向に移動できるようにチューブラッチが構成され、配置される請求項４１に記載の装置。
【請求項４３】  チューブラッチがチューブロッキングエレメントを具備し、このチューブロッキングエレメントが、少なくとも２つの位置、すなわち、チューブロッキングエレメントが半径方向内向きに移動し、それでカートリッジハウジングに関するチューブの長手方向の移動を制限するチューブロック位置と、チューブロッキングエレメントが半径方向外向きに移動し、それでカートリッジハウジングに関するチューブの長手方向の移動を可能にするチューブロック解除位置の間で半径方向に移動できる請求項４２に記載の装置。
【請求項４４】  チューブラッチが、互いに周方向に間隔をあけた３つ以上のチューブロッキングエレメントを具備する請求項４３に記載の装置。
【請求項４５】  チューブロッキングエレメントがカートリッジハウジングの壁にある半径方向の穴の中に配置される請求項４３に記載の装置。
【請求項４６】  チューブロッキングエレメントが半径方向に移動できるロックボールを具備する請求項４３に記載の装置。
【請求項４７】  チューブラッチが、長手方向に移動可能なチューブの外面に形成された一般的に環状の凹部を具備しており、この凹部が、チューブロッキングエレメントが半径方向内向きにそのチューブロック位置へ移動する時にチューブロッキングエレメントの内側部分を受け入れる請求項４３に記載の装置。
【請求項４８】  ハンドルハウジングに装着できる交換可能なカートリッジにおいて、該カートリッジが、
ハンドルハウジングに対して着脱できるカートリッジハウジングと、
カートリッジハウジング内部に配設された長手方向に移動可能なチューブと、
長手方向に移動可能なチューブの内部に配設された近位部分と、材料除去器具を具備する遠位部分を有する回転可能な駆動軸と、
カートリッジハウジングをハンドルハウジングに対して取外しできるようにロックするカートリッジラッチと、更に
カートリッジラッチがロックされる中立位置から、カートリッジラッチのロックが解除されるカートリッジロック解除位置へカートリッジハウジングに関して長手方向に移動でき、それでカートリッジハウジングをハンドルハウジングから取外しできるようにするスライドと、
を具備する交換可能なカートリッジ。
【請求項４９】  スライドが一般的に管状形状である請求項４８に記載の交換可能なカートリッジ。
【請求項５０】  カートリッジハウジングによって支えられていて、少なくとも２つの位置、すなわち、チューブロッキングエレメントが半径方向内向きに移動し、それによりカートリッジハウジングに関するチューブの長手方向の移動を制限するチューブロック位置と、チューブロッキングエレメントが半径方向外向きに移動し、それでカートリッジハウジングに関するチューブの長手方向の移動を可能にするチューブロック解除位置の間で半径方向に移動できる少なくとも１つのチューブロッキングエレメントを更に具備する請求項４８に記載の交換可能なカートリッジ。
【請求項５１】  チューブロッキングエレメントがカートリッジハウジングの壁にある半径方向の穴の中に配置される請求項５０に記載の交換可能なカートリッジ。
【請求項５２】  スライドが、カートリッジラッチがロックされていて、チューブロッキングエレメントがそのチューブロック位置にあるその中立位置からカートリッジラッチがロックされたままである一方、チューブロッキングエレメントがそのチューブロック解除位置へ移動できる作動位置へ近位方向に移動でき、これによって、長手方向へ移動可能なチューブがそのチューブロック可能位置から外へ近位方向に移動できる請求項５０に記載の交換可能なカートリッジ。